(57)【要約】  【課題】上下方向に併設された引き出し式扉の開閉状態を、扉体の数より少ない検知手段で検知できることを特徴とする冷凍冷蔵庫を提供する。  【解決手段】上下方向に併設された引き出し式扉１４、１５の上下に対向する端面の片方には、引き出し式扉１４、１５の近接状態に応じて、開閉状態を検知するスイッチ１６を設けて、引き出し式扉１４、１５の一方の扉が開放されると、スイッチ１６により引き出し式扉１４、１５の開放を検知できる。また、引き出し式扉１４、１５が同じ位置まで引き出されて、前記検知手段だけでは引き出し式扉１４、１５の開閉状態を検知できない場合にも、収納庫１３の内部の温度センサー１７変化率により引き出し式扉１４、１５の開閉状態を検知することができる。【選択図】図１
2009085531.tif 000002
【特許請求の範囲】
【請求項１】
少なくとも２つの相対する扉体と、前記扉体の開閉状態を検知する扉開閉検知手段と、前記扉体で密閉される収納庫の温度を検出する温度センサーとを備え、前記扉開閉検知手段と前記温度センサーの検出値とによって、前記扉体の開閉状態を検出することを特徴とする冷凍冷蔵庫。
【請求項２】
扉開閉検知手段は相対する扉体のいずれか一方のみに設けられ、温度センサーは相対する収納庫のいずれか一方のみに設けられたことを特徴とする請求項１に記載の冷凍冷蔵庫。
【請求項３】
扉体の開状態を使用者に報知する報知手段を設けたことを特徴とする請求項１または２に記載の冷凍冷蔵庫。
【発明の詳細な説明】
【技術分野】
【０００１】
本発明は、非接触または接触型の近接スイッチを用いて所定の収納庫前面の扉の開閉状態を検知するドア開閉検知機構及びそれを具備する冷凍冷蔵庫に関するものである。
【背景技術】
【０００２】
従来、冷凍冷蔵庫の扉の開放により冷凍冷蔵庫内部の冷気が外部に漏れ出すのを防ぐため、冷凍冷蔵庫の各扉の開閉を検知するための扉開閉検知手段が各扉にそれぞれ１つずつ設けられてきた。
【０００３】
しかしながら、複数の扉を有する冷凍冷蔵庫においては各扉の開閉を検知するための扉開閉検知手段は扉の数だけ必要となるため、構造が複雑になり、コストも増加するという問題点があった。
【０００４】
そのため、より少ない数の扉開閉検知手段で各扉の開閉を検知できるものが望まれており、一例として、２つの相対する扉体のいずれか一方の対向端面に金属を検知する非接触型近接スイッチを備えた冷凍冷蔵庫が開示されている（例えば、特許文献１参照）。
【０００５】
以下、図面を参照しながら上記従来の冷凍冷蔵庫の扉開閉の検知手段について説明する。
【０００６】
図４は、特許文献１に記載された従来の冷凍冷蔵庫の斜視図である。図４に示すように、冷凍冷蔵庫１には前面に開放され相対する回動扉で形成された扉体３が上下段に２組、すなわち４個設けられ、上段の扉体３ａ、３ｂが相対し、下段の扉体３ｃ、３ｄが相対している。
【０００７】
上段の扉体３ａ、３ｂが閉じられたときには、各扉体３ａ、３ｂの対向端面１０が近接し、下段の相対する扉体３ｃ、３ｄが閉じられたときには、各扉体３ｃ、３ｄの対向端面１０が近接する。
【０００８】
そして、上段の扉体３ａ、３ｂにおいては一方の扉体３ａの対向端面１０に金属を検知する非接触型の単一の近接スイッチ９が取り付けられ、下段の扉体３ｃ、３ｄにおいては一方の扉体３ｃの対向端面１０に金属を検知する非接触型の単一の近接スイッチ９が取り付けられている。
【０００９】
以上のように構成された従来の冷凍冷蔵庫について、以下その動作を説明する。
【００１０】
まず、各スイッチ９は各扉体３がステンレス等の金属製であれば、各扉体３が閉じられた位置にあるときにのみ動作して、各扉体３が開かれた位置にあるときには動作しないようになっている。このように、相対する扉体３の片方のみに単一のスイッチ９を設けることで、扉体３の開閉状態を検知できるので、スイッチ９の個数を扉体３の個数に比べて減少することができ、コストダウンが可能となる。
【特許文献１】特開２０００−１９９６８０号公報
【発明の開示】
【発明が解決しようとする課題】
【００１１】
しかしながら、上記従来の構成では、近接する扉体が引き出し式扉の場合には、複数の扉が同じ引き出し位置まで引き出された場合には、前記引き出し式扉の開閉状態を検知できないという課題を有していた。
【００１２】
本発明は、上記従来の課題を解決するもので、上下方向に併設された引き出し式扉が同じ位置まで開かれて、前記検知手段が引き出し式扉の開状態を検知できない場合でも、検知手段の数を増やすことなく前記扉体の開閉状態を検知することができる冷凍冷蔵庫を提供することを目的とする。
【課題を解決するための手段】
【００１３】
上記従来の課題を解決するために、本発明の冷凍冷蔵庫は、少なくとも２つの相対する扉体を備える冷凍冷蔵庫において、前記扉体の開閉状態を検知する検知手段をいずれか一方の扉体に設け、前記検知手段の検知結果と前記扉体で密閉されるいずれか一つの収納庫の温度の変化により前記扉体の開閉状態を検出するようにしたものである。
【００１４】
これによって、前記扉体が同じ位置まで引き出されても、扉体の開閉状態を確実に検出することができる。
【発明の効果】
【００１５】
本発明の冷凍冷蔵庫は、上下方向に併設された引き出し式扉の開閉状態を検知する検知手段の数を増やすことなく、前記扉体が同じ位置まで引き出されても各扉体の開閉状態を検知して使用者に報知することができるので、低コストかつ収納食品の安全性を高めた冷凍冷蔵庫を提供できる。
【発明を実施するための最良の形態】
【００１６】
請求項１に記載の発明は、少なくとも２つの相対する扉体と、前記扉体の開閉状態を検知する扉開閉検知手段と、前記扉体で密閉される収納庫の温度を検出する温度センサーとを備え、前記扉開閉検知手段と前記温度センサーの検出値とによって、前記扉体の開閉状態を検出することにより、扉開閉検知手段だけでは開閉状態を検知できない場合にも扉体の開閉状態を確実に検知できる。
【００１７】
請求項２に記載の発明は、請求項１に記載の発明の冷凍冷蔵庫において、扉開閉検知手段は相対する扉体のいずれか一方のみに設けられ、温度センサーは相対する収納庫のいずれか一方のみに設けられたことにより、検知手段の数を増やすことなく、低コストで確実に扉体の開閉検知ができる。
【００１８】
請求項３に記載の発明は、請求項１または２に記載の発明の冷凍冷蔵庫において、扉体の開状態を使用者に報知する報知手段を設けたことにより、扉が開いていることを迅速に使用者に伝えることができ、常に食品を新鮮に保つことができる。
【００１９】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２０】
（実施の形態１）
図１、図２は、それぞれ本発明の実施の形態１における冷凍冷蔵庫の構成を示す縦断面図および正面図である。
【００２１】
図１において、冷凍冷蔵庫１１は、被冷却物を収納する２つの収納庫１２、１３（例えば野菜室と冷凍室等）が上下に並べて形成され、収納庫１２、１３の前面には、それぞれ開閉自在の引き出し式扉１４、１５が同じく上下に並べて配列されている。
【００２２】
さらに引き出し式扉１４、１５の上下に対向する端面の片方には、引き出し式扉１４、１５の扉開閉検知手段としてスイッチ１６を設けている。また、収納庫１３の内部には収納庫１３の温度を検知する温度センサー１７を設けている。
【００２３】
さらに、冷凍冷蔵庫１１の前面には引き出し式扉１４、１５の開放を使用者に報知する報知手段１８を設けている。
【００２４】
次に、図３は本発明の実施の形態１における冷凍冷蔵庫の制御部を主とした電気的構成を示したブロック図である。
【００２５】
制御部１９は例えばマイクロコンピュータから成っており、報知手段１８を含む冷凍冷蔵庫の運転全体を制御する制御手段として機能するものである。この制御部１９には収納庫１２、１３の引き出し式扉１４、１５の上下に対向する端面の片方に設けたスイッチ１６のスイッチＯＮ／ＯＦＦ信号入力２０や、温度センサー１７の信号入力２１が入力されるようになっており、そのほかに冷凍冷蔵庫の各室に設けられた温度センサー信号が入力されるようになっている。
【００２６】
そして、制御部１９はそれらの入力を用いて、あらかじめ記憶された演算プログラムに基づいて演算を行い、駆動回路２３に報知手段１８を動作させるための扉体開放報知アラーム出力２４を与えるようになっている。また制御部１９には、温度センサー信号入力２１の変化率があらかじめ設定された値に対して、大きいか小さいかを比較する温度センサー信号比較部２２が内蔵されており、スイッチＯＮ／ＯＦＦ信号入力と温度センサー信号比較部２２の演算結果により、報知手段１８を動作させるための、扉体開放報知アラーム出力２４を出力する。
【００２７】
以上のように構成された冷凍冷蔵庫について、以下その動作、作用を説明する。
【００２８】
まず、使用者が引き出し式扉１４、１５のいずれか一方を開放すると、スイッチ１６のスイッチＯＮ／ＯＦＦ信号入力２０が、制御部１９に入力され、制御部１９は駆動回路２３を駆動して、扉体開放報知アラーム出力２４を出力する。
【００２９】
また、もし使用者が引き出し式扉１４、１５を同じ位置まで引き出して、スイッチ１６が動作しないで、スイッチＯＮ／ＯＦＦ信号入力２０が制御部１９に入力されない場合には、温度センサー信号入力２１の変化率を制御部１９の温度センサー信号比較部２２において比較して、温度センサー信号入力２１の値の変化率が設定値よりも大きい場合には、引き出し式扉１４、１５は同じ位置まで引き出されていると判断して、制御部１９は駆動回路２３を駆動して、扉体開放報知アラーム出力２４を出力する。
【００３０】
また、スイッチＯＮ／ＯＦＦ信号入力２０が制御部１９に入力されないで、温度センサー信号入力２１の変化率が設定値よりも小さい場合には、引き出し式扉１４、１５は共に閉状態であると判断して、扉体開放報知アラーム出力２４は出力しない。
【００３１】
以上のように、本実施の形態においては、スイッチ１６のスイッチＯＮ／ＯＦＦ信号入力２０と、温度センサー信号入力２１の変化率を用いて引き出し式扉１４、１５の開閉状態を検知するので、もし引き出し式扉１４、１５を同じ位置まで引き出されて、スイッチ１６が動作しないで、スイッチＯＮ／ＯＦＦ信号入力２０が制御部１９に入力されない場合にも、確実に引き出し式扉１４、１５の開閉状態を検知することができる。
【００３２】
なお、上記実施の形態においては、収納庫１２、１３をそれぞれ野菜室、冷凍室として説明してきたが、本発明はこれに限るものではなく、その他の上下に並べて形成された引き出し式扉に用いてもよい。
【産業上の利用可能性】
【００３３】
以上のように、本発明にかかる冷凍冷蔵庫は、上下方向に併設された引き出し式扉が同じ位置まで開かれても扉体の開閉状態を検知することができ、保温庫や恒温槽など同様の扉構成を備える機器にも適用できる。
【図面の簡単な説明】
【００３４】
【図１】本発明の実施の形態１における冷凍冷蔵庫を示す縦断面図
【図２】同実施の形態における冷凍冷蔵庫の正面図
【図３】同実施の形態における冷凍冷蔵庫の電気的構成を示したブロック図
【図４】従来の冷凍冷蔵庫の斜視図
【符号の説明】
【００３５】
１１  冷凍冷蔵庫
１３  収納庫
１４、１５  引き出し式扉
１６  スイッチ
１７  温度センサー
１８  報知手段
【図１】
2009085531.tif 000003
【図２】
2009085531.tif 000004
【図３】
2009085531.tif 000005
【図４】
2009085531.tif 000006